(57)【特許請求の範囲】
【請求項１】
塗布液を収容した本体容器と、前記本体容器の先端部に前後動可能に設けられた、塗布液を被塗布体に塗布するための塗布体と、前記塗布体が後方側に移動すると開弁し、前記本体容器に収容された塗布液が前記塗布体に供給されるバルブ機能部とを備える液体塗布具において、
前記本体容器の内部には、前記塗布液の収容室を形成するための隔壁が形成され、前記隔壁と前記塗布体の先端までの距離寸法が８５ｍｍ以下に形成されていることを特徴とする液体塗布具。
【請求項２】
前記本体容器の側部肉厚は、前記塗布液の収容室を形成する側部の肉厚が、前記収容室以外の側部肉厚よりも厚く形成されていることを特徴とする請求項１に記載された液体塗布具。
【請求項３】
前記本体容器の内部に形成された前記隔壁は、本体容器の後方側に突出する凸形状に形成され、且つ、前記収容室側からは凹形状となるよう形成されていることを特徴とする請求項１または請求項２に記載された液体塗布具。
【請求項４】
前記本体容器の外面には、複数のリブまたは複数の突起が形成されていることを特徴とする請求項１乃至請求項３のいずれかに記載された液体塗布具。
【発明の詳細な説明】
【技術分野】
【０００１】
本発明は、筆記具や修正具あるいは化粧用具として使用される液体塗布具に関する。
【背景技術】
【０００２】
筆記具や修正具、あるいは化粧用具として、インキや化粧液などの塗布液を本体容器に収容した液体塗布具が知られている。この液体塗布具には、一般的に、塗布時に開弁して本体容器から被塗布体側に塗布液を供給し、塗布をやめると閉弁して供給を停止するバルブ機能を備えている。したがって、前記バルブ機能によって、被塗布体に対して塗布液を適切に塗布することができる。
【０００３】
しかしながら、このような液体塗布具においても、塗布時に本体容器を手で掴むと使用者の体温が容器内に伝搬して容器内の温度が上昇し、それに伴い容器内のインクの圧力が上昇する。そして、容器内のインクの圧力が上昇した状態で塗布時にバルブ機能が開弁すると、必要以上のインクが圧出され、所謂ぼた落ちとなって被塗布体を汚してしまうという技術的課題があった。
【０００４】
このような課題を解決するため、特許文献１（特開平６−１２７１８７号公報）には、図７に示すような筆記具５０が開示されている。この筆記具５０においては、筆記具本体５１に、インク５２を収容するインナーパイプ５１ａと、その周囲を所定の間隙を設けて覆うアウターパイプ５１ｂとが形成されている。この筆記具５０によれば、前記インナーパイプ５１ａとアウターパイプ５１ｂとの間の間隙により熱遮断空間５３が形成され、この熱遮断空間５３により、使用者の体温がインク５２に伝搬しないようになされている。
【特許文献１】特開平６−１２７１８７号公報
【発明の開示】
【発明が解決しようとする課題】
【０００５】
特許文献１に開示された筆記具５０によれば、インク５２の温度上昇及びそれに伴う内部圧力の上昇が抑制されるため、筆記中におけるインクのぼた落ちを防止することが期待できる。
しかしながら、前記筆記具５０にあっては、熱遮断空間５３が筆記具本体５１の先端から後端に亘り形成されるため、筆記具本体５１の全体の径が太くなり、握り難くなって筆記具としての使用感が損なわれ、本体部材の成形性や組立の容易さが損なわれるという別の課題が生じていた。
【０００６】
本発明は、前記したような事情の下になされたものであり、内部に収容された塗布液の温度上昇と、それに伴う塗布液の圧力上昇を抑制し、使用感を低下させることなく、塗布時における塗布液のぼた落ちを防止することのできる液体塗布具を提供することを目的とする。
【課題を解決するための手段】
【０００７】
前記した課題を解決するために、本発明に係る液体塗布具は、塗布液を収容した本体容器と、前記本体容器の先端部に前後動可能に設けられた、塗布液を被塗布体に塗布するための塗布体と、前記塗布体が後方側に移動すると開弁し、前記本体容器に収容された塗布液が前記塗布体に供給されるバルブ機能部とを備える液体塗布具において、前記本体容器の内部には、前記塗布液の収容室を形成するための隔壁が形成され、前記隔壁と前記塗布体の先端までの距離寸法が８５ｍｍ以下に形成されていることを特徴としている。
【０００８】
このように、構成されることにより、塗布時に使用者が液体塗布具を手で掴んだ際に、塗布液の収容室が手のひらに接触しないようにすることができる。即ち、これにより収容室内の塗布液の温度上昇を防ぎ、温度上昇に伴う塗布液の圧力上昇を抑制し、塗布時における塗布液のぼた落ちを防止することができる。
なお、前記隔壁と前記塗布体の先端までの距離寸法を８５ｍｍ以下としたのは、掴んだ際の手のひらが接触しない距離を、測定した結果に基づくものである。
【０００９】
また、前記本体容器の側部肉厚は、前記塗布液の収容室を形成する側部の肉厚が、前記収容室以外の側部肉厚よりも厚く形成されていることが望ましい。
このように肉厚を形成することにより、塗布液の収容室を形成する本体容器の側部に仮に使用者の手のひらが接触しても、手のひらの熱が本体容器に収容された塗布液に伝搬し難くすることができる。
【００１０】
また、前記本体容器の内部に形成された前記隔壁は、本体容器の後方側に突出する凸形状に形成され、且つ、前記収容室側からは凹形状となるよう形成されることが望ましい。
このように隔壁を形成すれば、塗布液の収容室側の凹形状部にも塗布液を収容することができ、塗布液の収容力を増大させることができる。
また、この場合、本体容器の後方側に突出した隔壁の凸形状と、本体容器において使用者の手のひらが接触する部位との間には、隙間が形成され、この隙間により、使用者の手のひらからの体温が隔壁の凹形状部に収容された塗布液に伝搬せず、その塗布液の温度上昇を抑制することができる。
【００１１】
また、前記本体容器の外面には、複数のリブまたは複数の突起が形成されることが望ましい。このように、本体容器の外面を形成することにより、容器本体に対する使用者の手のひらの接触面を少なくし、容器本体への温度伝搬を減少させることができる。
【発明の効果】
【００１２】
本発明によれば、内部に収容された塗布液の温度上昇と、それに伴う塗布液の圧力上昇を抑制し、使用感を低下させることなく、塗布時における塗布液のぼた落ちを防止することのできる液体塗布具を得ることができる。
【発明を実施するための最良の形態】
【００１３】
以下、本発明の実施の形態を図面に基づき説明する。図１は本発明に係る液体塗布具が適用される筆記具の全体構成を示す縦断面図である。
この筆記具１００は、筆記具本体１と、非使用時に筆記具本体１の軸先が乾燥しないよう筆記具本体１の先端に密嵌可能になされたキャップ２とで構成される。
【００１４】
筆記具本体１は、塗布液であるインク１０を収容するための円筒状の本体容器３と、本体容器３の先端に嵌入することにより設けられた、インク１０を紙面等の被塗布体に塗布するための塗布部４と、本体容器３の終端に挿入され、本体容器３に嵌合する終端蓋５とを具備する。
また、本体容器３の内部には隔壁３ａが形成され、この隔壁３ａと塗布部４との間にインク収容室６が形成され、そこにインク１０が充填収容されている。尚、隔壁３ａと終端蓋５との間には、空間７が形成されている。
【００１５】
また、塗布部４は、本体容器３の先端に嵌入された先軸８と、前記先軸８内に前後動可能に設けられ、その先端が先軸８から突出して設けられた棒状の塗布体９と、塗布体９の後部を支持し、塗布体９の前後動作に連動して移動する弁棒１１とを備えている。
【００１６】
また、前後動可能な弁棒１１の端面と密接する弁座１３が、先軸８の内周面に設けられ、さらに弁棒１１の周囲を包囲してコイルスプリング１２が設けられている。また、前記弁棒１１は、前後動可能に、先軸８の底面部を挿通している。
このコイルスプリング１２は、一端（前端）が弁棒１１に係止され、他端（後端）が先軸８の底面部に係止されている。したがって、前記塗布体９は前記コイルスプリング１２の反発力に抗しながら後退し、前記コイルスプリング１２の反発力によって前進する。
【００１７】
これら弁棒１１、弁座１３、コイルスプリング１２によりバルブ機能部が構成され、筆記しない状態では、コイルスプリング１２の付勢力により弁棒１１が弁座１３に対して閉弁し、インク収容室６のインク１０が塗布体９側に供給されないようになされている。
一方、筆記時には、筆圧（押圧）により塗布体９が後方側に押し込まれ、コイルスプリング１２の付勢力に抗して弁棒１１が後方に移動して弁座１３に対して開弁すると、インク収容室６のインク１０が塗布体９側に供給されるようになされている。
【００１８】
尚、前記先軸８のインク収容室６側は、インク導入室８ａとして機能し、その先軸８の側面には図示しないインク供給窓が形成されている。そして、このインク供給窓を介し、インク導入室８ａの内部にインク収容室６からインク１０が流入し、塗布体９に供給するインク１０が常に確保されるようになされている。
また、塗布体９は、繊維束を結束したもの、微小粒子の焼結体、多孔質の成形体など、いずれもインク１０が毛細管現象によって導出される材料が用いられている。
【００１９】
また、図１に示すようにキャップ２は、キャップ本体１５と、キャップ本体１５の内部に前後動可能に設けられた内キャップ１６と、内キャップ１６の移動に付勢力を与えるためのコイルスプリング１７と、キャップ本体１５の先端に嵌合される先端蓋１８とを備えている。コイルスプリング１７の一端（前端）は、先端蓋１８の後部に係止され、他端（後端）は、内キャップ１６の前部に係止されている。
【００２０】
このように構成されたキャップ２を筆記具本体１の塗布部４側に被せ、キャップ本体１５と本体容器３とを係合させると、コイルスプリング１７の付勢力により内キャップ１６が塗布部４に向けて押され、塗布体９が内キャップ１６内に密封された状態になされる。これにより、非使用時における塗布体９の乾燥が防止されるようになされている。
【００２１】
また、図１に示すように筆記具本体１において、その塗布体９の先端と、本体容器３の内部に形成された隔壁３ａとの距離寸法は、８５ｍｍ以下となるように構成されている。
このように所定の距離寸法をもって隔壁３ａを設けることにより、図２に示すように使用者が筆記時に筆記具本体１を手のひらで掴んだ際に、インク１０が収容されるインク収容室６が手のひらに接触しないようにすることができる。
即ち、これによりインク収容室６内のインク１０の温度上昇を防ぎ、温度上昇に伴うインク１０の圧力上昇を抑制し、筆記時におけるインク１０のぼた落ちを防止することができる。
【００２２】
また、図３は、本体容器３の肉厚を示す縦断面図である。図示するように、インク収容室６を形成する本体容器３の側部肉厚は、例えば２．２ｍｍに形成され、空間７を形成するための本体容器３の側部肉厚は、例えば２．０ｍｍに形成される。さらに、本体容器３の側部肉厚は、空間７の周囲から終端部３ｂに向って次第に薄くなるようテーパー状に形成されている。
このように本体容器３の側部肉厚は、インク収容室６を形成する側部の肉厚が、インク収容室６以外の側部の肉厚よりも厚くなるように形成されている。即ち、このように側部肉厚を形成することにより、インク収容室６を形成する本体容器３の側部に仮に使用者の手のひらが接触しても、手のひらの熱がインク収容室６に収容されたインク１０に伝搬し難くなされている。
【００２３】
以上のように本実施の形態によれば、筆記時に使用者の手のひらがインク収容室６の周囲に触れないように、本体容器３内に隔壁３ａが形成され、インク収容室６の位置が限定される。具体的には、塗布体９の先端から隔壁３ａまでの距離寸法が、例えば８５ｍｍ以下となるように隔壁３ａが形成される。
また、筆記時において、仮にインク収容室６に使用者の手のひらが接触したとしても、その熱がインク収容室６内のインク１０に伝搬しないように本体容器３の肉厚が形成されている。
【００２４】
即ち、このような構成により、筆記時において、筆記具本体１に収容されたインク１０の温度上昇、及びそれに伴う圧力上昇を抑制し、インク１０のぼた落ちを防止することができる。
また、筆記具本体１は、隔壁３ａを形成することにより筆記時におけるインクのぼた落ちが防止される構成であるため、一般的な筆記具よりも本体容器３の径を太くする必要がなく、使用感の低下を防ぐことができる。
【００２５】
尚、前記実施の形態において、インク収容室６を形成するための隔壁３ａは、図１に示すように平面状の板として示したが、その形態に限定されるものではない。
図４は隔壁３ａの他の形態を示す筆記具本体１の縦断面図である。図４に示す隔壁３ａは、本体容器３内の後方側に突出する凸形状に形成され、且つ、インク収容室６側からは凹形状となるように形成されている。これにより、インク収容室６側の凹形状部にもインク１０を収容することができ、隔壁３ａでインク収容室６の位置を限定したことによるインク１０の収容力低下を防ぐことが出来る。
【００２６】
また、図４に示すように、空間７側に突出した隔壁３ａの凸形状と、本体容器３において使用者のてのひらが接触する部位３ｃとの間には、隙間７ａが形成される。これにより、使用者の手のひらからの体温が隔壁３ａの凹形状部に収容されたインク１０に伝搬せず、そのインク１０の温度上昇を抑制することができる。
【００２７】
また、前記実施の形態において、本体容器３の外面は、滑らかな曲面状に形成されてもよいが、その形態に限定されるものではない。
図５（ａ）は、本体容器３の外面形状の他の形態を示す筆記具本体１の縦断面図であり、図５（ｂ）は、図５（ａ）のＡ−Ａ断面図である。この形態では、図５（ａ）、図５（ｂ）に示すように、本体容器３の外面には、複数のリブ３ｄが形成される。これにより、容器本体３に対する使用者の手のひらの接触面積を少なくし、容器本体３への温度伝搬を減少させることができる。
【００２８】
尚、図示しないが、本体容器３の外面に複数のリブ３ｄを形成する代わりに、複数の突出を形成するようにしてもよい。そのように外面を形成しても、容器本体３に対する使用者の手のひらの接触面積が少なくなるため、同様に容器本体３に対する使用者の温度伝搬を減少させることができる。
また、前記実施の形態においては、塗布液としてインクを収容した筆記具を例に説明したが、本発明に係る液体塗布具は、筆記具以外にも修正具や化粧用具等にも適用することができる。
【実施例】
【００２９】
続いて、本発明に係る液体塗布具について、実施例に基づきさらに説明する。本実施例では、前記実施の形態に示した構成の筆記具を用い、実際に実験を行うことにより、その効果を検証した。
［実施例１］
【００３０】
実施例１では、本発明に係る液体塗布具として、図１に示したように塗布体９の先端から隔壁３ａまでの距離寸法が８５ｍｍ以下になされた筆記具を用い、筆記時に手のひらで握った場合のインク収容室内のインクの温度及び圧力の変化を測定した。尚、比較例として、隔壁３ａが設けられていない従来の筆記具を用い、同様にインク収容室内のインクの温度及び圧力の変化を測定した。
【００３１】
また、実験条件としては、本発明に係る構成を有する筆記具を用いた測定では、被測定体としての筆記具を測定環境に３分間慣らした後に手のひらで握り、その後継続して６０分間握り続けた。
一方、比較例では、被測定体としての筆記具を測定環境に３分間慣らした後に手のひらで握り、その後継続して２０分間握り続け、その後、筆記具から手を離した。
【００３２】
図６（ａ）に、本発明に係る液体塗布具としての構成を有する筆記具による測定結果、図６（ｂ）に、比較例としての構成を有する筆記具による測定結果をグラフとして示す。尚、図６に示すグラフにおいて、横軸は時間の経過、縦軸はインク収容室内のインクの温度及び圧力を示す。
【００３３】
図６（ａ）に示すように、本発明に係る構成によれば、筆記具を握り始めてからのインクの温度は、握る前の値から殆ど変化せず、圧力も温度と同様に安定していることがわかった。
それに対して、図６（ｂ）に示すように、従来のように隔壁を設けない比較例の場合には、インク収容室内のインクの温度は、筆記具を手のひらで握り始めてから急激に上昇を続け、握った状態を２０分継続したときには、筆記具を握る前の２倍以上の値となり、圧力も温度変化に伴い急激に上昇した。
【００３４】
以上、実施例１の結果から、本発明に係る構成を有する筆記具によれば、筆記時においてもインク収容室内のインクの温度及び圧力は殆ど上昇しないため、インクの圧力上昇によるインクのぼた落ちが防止されることを確認した。更に、それらの効果が、成形性に優れ、組立も容易であるという利点を損なわずに得られることを確認した。
【産業上の利用可能性】
【００３５】
本発明は、バルブ機能により塗布液の供給制御を行う液体塗布具に関し、例えば、筆記具、修正具、化粧用具等に好適に用いることができる。
【図面の簡単な説明】
【００３６】
【図１】図１は、本発明に係る液体塗布具としての筆記具の全体構成を示す縦断面図である。
【図２】図２は、図１の筆記具を手のひらで握った状態を示す図である。
【図３】図３は、図１の筆記具の本体容器の肉厚を示す縦断面図である。
【図４】図４は、図１の筆記具が有する隔壁の他の形態を示す筆記具本体の縦断面図である。
【図５】図５は、本体容器の外面形状の他の形態を示す筆記具本体の断面図である。
【図６】図６は、実施例の結果を示すグラフである。
【図７】図７は、従来の筆記具の概略構成を示す図である。
【符号の説明】
【００３７】
１        筆記具本体
２        キャップ
３        本体容器
３ａ      隔壁
４        塗布部
５        終端蓋
６        インク収容室
７        空間
８        先軸
９        塗布体
１０      インク（塗布液）
１１      弁棒（バルブ機能部）
１２      コイルスプリング（バルブ機能部）
１３      弁座（バルブ機能部）
１００    筆記具（液体塗布具）
【図１】
0004692995.tif 000002
【図２】
0004692995.tif 000003
【図３】
0004692995.tif 000004
【図４】
0004692995.tif 000005
【図５】
0004692995.tif 000006
【図６】
0004692995.tif 000007
【図７】
0004692995.tif 000008